(57)【要約】【課題】  布団、ベッドに関しては体重がかかる部分の沈み込みをロール形状を用いることで部分的な強度を付ける作業が簡単に出来る又、ネット形状を用いてロール形状にしたことで通気性、復元力、軽量マクラに関してはマクラが外れていたり首が前にもたれて呼吸の妨げになりいびきをかきやすい状態にあったそれらを何段階もの高さ調節が出来る構造で軽減できる。【解決手段】  ネット形状にした素材単品、又はネット状の素材と綿、スポン等を組み合わせてロールにしたマクラに関しては下マクラに肩上マクラに首後頭部部分に頭を乗せる部分をそれぞれ独立させたことで首に掛かる負担を皆無に等しい構造としている。【選択図】図５
2007181649.tif 000002
【特許請求の範囲】
【請求項１】
スポンジ等の素材に碁盤の目、網目、その他の形状に穴を開けてネット形状素材にしたもの〔図１〕とそのネット素材を１つの素材に素材その物とネット素材に形成したもの〔図２〕スポンジ、わた、皮革、ポリエステル、アクリル、レーヨン、合成その他天然等、各種類の素材。
【請求項２】
ネット形成にした素材単品、その素材とその他のネット素材ポリエステル、アクリル、レーヨン、麻、毛、綿、皮革、合成、その他天然等と綿、羽毛、スポンジ等を組み合わせて４、５ロール形状の構造の布団、ベッド、クッション、マクラ、等の寝具用品。
【請求項３】
１、２、３の形状を何段階にも高さ調節ができるマクラ。
【発明の詳細な説明】
【発明の詳細な説明】
【発明が解決しょうとする課題】
【０００１】  寝具用品に関しては、熱のこもりやすいポリエステル綿、羽毛、スポンジ製品通気性の問題や天然の綿、天然素材のスポンジ等は水分含有量が多いために綿はヘタリが早い、その他のスポンジも含めて気候に応じて沈み込みが変化する欠点がある天然スポンジは水分含有量が多いので重量がある物もあるマクラに関しては、マクラが外れたり首が前にもたれていびきをかきやすい等の問題点があるそれらを解決しょうと取り組んだものであり通気性、耐久性、軽量を目的としている。
【０００２】  本発明は、綿、羽毛、スポンジ等の素材にネット素材を組み合わせて又、ネット素材を加工してその物単品だけでも寝具用品が形成出来る仕様を用いたそしてネット素材効果で通気性の解消を計った。
【０００３】  そのネット素材単品、又は、綿やスポンジ等と組み合わせ他のネット素材と組み合わせてロール形状にすることで耐久性を計ったものである反発性質を持つネット素材と組み合わせることで尚かつ形状の回復力を計ったロール形状に形成することで円形の外に向かって反発する性質を利用してロール形状にして形状の回復力で耐久性を追求した。
【０００４】  ロール形状の反発力又、平面を重ねることで両端に反発力が生じてどちらも形状の回復力が見つかった回復力があるのでネット素材と組み合わせた時そのメインとなる素材が少量でも形状の耐久性は従来の物と変わらないのであるむしろ風合いは羽毛に近いふわっとしているのに腰がある今までにない優しさの感触を得られるのであるそして軽量である従来の綿のマクラとの比較ではこの仕様を用いることで半分の綿の量で済むことも大きなメリットである。
【０００５】  寝具用品全般に用いることの出来るネット仕様とロール仕様でありロール形状を形成していく上で柔らかさ硬さがロールの巻き具合で又、少量の素材の加減などで簡単にできるのも利点であり布団、ベットに関しては腰マクラとして凸を設けることも又、体重がかかる部分の沈み込みを調節できることも形成上容易にできる。
【０００６】  マクラに関しては、ネット素材、重ねた形状、ロール形状、を用いてマクラの形状をそれぞれ独立した形成としているので肩、首、頭を乗せる部分に身体の凸凹が吸収されるので首に負担がかからない構造としている〔図６〕から〔図９〕までは４段階の調節を示しているがその他後頭部を首の所まで移動させると５段階となる調節方法もできる後頭部では更に両端を中に入れて三角の状態にして高さ調節ができる最も高い位置に固定して呼吸を楽に出来る調節も可能にしている。
【０００７】  通気性、耐久性、軽量であることマクラに関しては、何段階にも調節固定が容易である。
【発明を実施するための最良の形態】
【０００８】  発明の実施の形態を実施例にもとづき図面を参照して説明する。
〔図１〕〔図２〕ネット形状に形成したスポンジ等単品だけで〔図３〕のネット素材と綿、スポンジ等を組み合わせてロール形状にしたもの〔図４〕ロール形状にした物を並べて〔図４〕寝具用品素材として用いる。【０００９】〔図５〕は１下マクラ２後頭部３上マクラを〔図１〕から〔図３〕の素材を平面、重ねたもの、ロール形状を組み合わせて高さを何段階にも調節出来る前のマクラの原型であるこの形成したものが何段階にも高さ調節をしていく基本形状でありそのままの状態でも下マクラを腰に上マクラを首にしても使用できる。【００１０】〔図６〕は〔図５〕１下マクラに３上マクラを乗せて２後頭部を輪にして１下マクラの中心部に上マクラの先端を合わせて調節固定した図である１の下マクラの中心から先端が出ている部分に肩を乗せて３の上マクラに首を乗せる２の後頭部に頭を乗せる使い方をする〔図５〕１、２、３と１つ１つ独立した形状にしていることでそれを〔図６〕のように組み合わせることで首筋が真っ直ぐ状態になり身体の凸凹をとらえる構造にしているので首にかかる負担が皆無に等しい程の寝心地を得られるのである【００１１】〔図７〕は〔図５〕１下マクラと後頭部の間の位置に３上マクラを乗せて低い位置に調節し固定した図  低い姿勢で使用できるが床からの高さはあるしかし肩、首、頭の傾斜が自然に保たれる構造なので高さは感じないでとても楽な姿勢で使用出来る。【００１２】〔図８〕は〔図５〕１下マクラの先端に３上マクラを乗せて高い位置に調節固定した形状このマクラだけは首筋が真っ直ぐにならない場合がある。【００１３】〔図９〕は〔図８〕の形状に〔図５〕２後頭部部分を１下マクラ３上マクラの間の先端に移動させた最も高い位置に調節し固定させた図この形状は呼吸が楽にできる仕様であり気管に疾患のある場合に使用できる形状である。【００１４】〔図１０〕は〔図６〕図の後頭部を乗せる部分を２つの輪にしたものでありその２つにした輪の上の部分だけを両端を中に入れて三角の形状にしたものであるもちろん同じ形状に下の部分も出来るこの仕様で後頭部の高さを調節する方法である三角を外して夏はクーラーを入れて又、頭にカーラーを巻いても首筋が真っ直ぐ状態で使用できる構造である。
【図面の簡単な説明】
【図１】ネット形状にした平面図
【図２】１つの素材をネット形状した物と素材その物の図
【図３】ネット形状単品、その素材他のネットと綿、スポンジ等をロールにした図
【図４】ロール形状を並べた図
【図５】何段階にも高さ調節出来る基本形状のマクラの図
【図６】使いやすい高さ位置に調節固定した図
【図７】低い位置に固定した図
【図８】高い位置に固定した図
【図９】最も高い位置に固定した図
【図１０】後頭部の上の部分を両端を中に入れた図
【符号の説明】
１  下マクラ
２  後頭部
３  上マクラ
４  ネット形状や綿、スポンジ等の素材
５  ネット形状単品、その素材他のネットと綿、スポンジ等をロール形状にした物
【図１】
2007181649.tif 000003
【図２】
2007181649.tif 000004
【図３】
2007181649.tif 000005
【図４】
2007181649.tif 000006
【図５】
2007181649.tif 000007
【図６】
2007181649.tif 000008
【図７】
2007181649.tif 000009
【図８】
2007181649.tif 000010
【図９】
2007181649.tif 000011
【図１０】
2007181649.tif 000012